(57)【要約】【課題】  外壁内に通気路を確保し得て、その通気路を利用する水分の外部への放出で結露の発生阻止を可能にする。【解決手段】  建築物の屋内側と屋外側とを画成する躯体１と、この躯体１に展設される防水紙２と、この防水紙２を介して躯体１に連結されるラス２と、このラス２に塗り付けられるモルタル４とを有してなる通気壁構造において、ラス３がモルタル４の塗り付けを許容するラス目を有しながら防水紙２に隙間を有して対向する本体部３ａと、この本体部３ａに一体に形成されて先端を防水紙２に当接させながら躯体１に連結される凸部３ｂとを有し、ラス３における本体部３ａの屋外側面に塗り付けられるモルタル４と防水紙２との間に通気路Ｓを形成してなる。【選択図】  図２
2010048007.tif 000002
【特許請求の範囲】
【請求項１】
建築物の屋内側と屋外側とを画成する躯体と、この躯体の屋外側面に展設される防水紙と、この防水紙を介して上記の躯体に連結されるラスと、このラスの屋外側面に塗り付けられるモルタルとを有してなる通気壁構造において、上記のラスが上記のモルタルの塗り付けを許容するラス目を有しながら上記の防水紙に隙間を有して対向する本体部と、この本体部に一体に形成されて先端を上記の防水紙に当接させながら上記の躯体に連結される凸部とを有してなり、上記のラスにおける本体部の屋外側面に塗り付けられる上記のモルタルと上記の防水紙との間に通気路が形成されてなることを特徴とする通気壁構造。
【請求項２】
上記のラスにおける凸部が上記のモルタルの塗り付けを許容するラス目を有せずしてこの凸部における屋外側面に塗り付けられるモルタルの通過を阻止し、あるいは、上記のラスにおける凸部が上記の防水紙との間に配在される被覆部材を付設させると共にこの被覆部材が上記の凸部における屋外側面に塗り付けられるモルタルの通過を阻止してなる請求項１に記載の通気壁構造。
【請求項３】
上記の通気路が上記のラスにおける本体部と上記の防水紙との間の隙間において、縦方向あるいは／および横方向に形成されてなる請求項１に記載の通気壁構造。
【請求項４】
建築物の屋内側と屋外側とを画成する躯体の屋外側面に防水紙を展設し、この防水紙を介して上記の躯体にラスを連結し、このラスの屋外側面にモルタルを塗り付けてなる通気壁の施工方法において、上記のラスが上記のモルタルの塗り付けを許容するラス目を有しながら上記の防水紙に隙間を有して対向する本体部と、この本体部に一体に形成されて先端を上記の防水紙に当接させながら上記の躯体に連結される凸部とを有してなる一方で、上記のラスにおける本体部の屋外側面に上記のモルタルを塗り付けて、このモルタルと上記の防水紙との間に通気路を形成してなることを特徴とする通気壁の施工方法。
【請求項５】
上記のラスにおける凸部が上記のモルタルの塗り付けを許容するラス目を有せずしてこの凸部における屋外側面に塗り付けられるモルタルの通過を阻止し、あるいは、上記のラスにおける凸部が上記の防水紙との間に配在される被覆部材を付設させると共にこの被覆部材が上記の凸部における屋外側面に塗り付けられるモルタルの通過を阻止してなる請求項４に記載の通気壁の施工方法。
【請求項６】
上記のラスにおける凸部および被覆部材があらかじめ一体に連結され、あるいは、上記の防水紙および被覆部材があらかじめ一体に連結され、さらには、上記のラスにおける凸部，被覆部材および防水紙があらかじめ一体に連結されて、それぞれ下地材とされてなる請求項５に記載の通気壁の施工方法。
【発明の詳細な説明】
【技術分野】
【０００１】
この発明は、通気壁構造および通気壁の施工方法に関し、特に、木質系の建築物における外壁への利用に向く通気壁構造および通気壁の施工方法の改良に関する。
【背景技術】
【０００２】
近年、建築物における気密化あるいは断熱化の向上あるいは促進で、特に、木質系の建築物における外壁内の結露の発生阻止が肝要になり、そのため、外壁が通気性を持つ、すなわち、外壁内にあって結露の原因になる水分を外壁の外に放出し得るとする通気壁の提案が種々ある。
【０００３】
その中で、たとえば、特許文献１には、外壁内の縦方向に通気部材を有し、この通気部材が有する内部空孔で上記の水分を外壁の外に放出させる通気路を形成する提案が開示されている。
【０００４】
ちなみに、上記の特許文献１に開示のところでは、通気部材は、外壁内の縦方向だけでなく、外壁内の横方向にも配設されるが、この通気部材は、ラスを部分的に変形させてできる空間に配設されている。
【０００５】
それゆえ、この文献開示の提案にあっては、通気部材の外周がラスを通過するモルタルで被覆されても、この通気部材が有する内部空孔で通気路が確保され、したがって、この通気路によって外壁内の水分を外壁の外に放出し、外壁内における結露の発生阻止が可能になる。
【特許文献１】特開２００８‐９５４４５公報（要約，特許請求の範囲，明細書中の段落００１４，図１参照）
【発明の開示】
【発明が解決しようとする課題】
【０００６】
しかしながら、上記した文献開示の提案にあっては、通気路で外壁内の水分を外壁の外に放出して、外壁内における結露の発生阻止を意図する点で、基本的に問題がある訳ではないが、外壁を施工する実際を勘案すると、些か不具合があると指摘される可能性がある。
【０００７】
すなわち、上記の提案では、通気部材における連続気泡からなる内部空孔で通気路が形成されるが、通気部材は、ラスにおいて変形されることで出現する空間に配設される。
【０００８】
そして、このラスにおける変形で出現する空間に配設された通気部材は、ラスに塗り付けられてこのラスを通過するモルタルでいわゆる固定状態におかれるが、モルタルのラスに対する定着を保障すべく、モルタルのラスへの押し付けが過大となる場合には、ラスの変形部分が潰れないにしても、通気部材が潰れて必要な断面積の通気路を確保できなくなる危惧がある。
【０００９】
つまり、通気部材にあって、連続気泡からなる内部空孔を大きくしないと効果的な水分の放出を実現できないが、通気部材が、たとえば、ウレタンフォームからなる場合には、内部空孔を大きくするのに伴って、通気部材における機械的強度が低減され、ラスに塗り付けられるモルタルがこの通気部材に押し付けられると、この通気部材が簡単に潰れて必要な断面積の通気路を確保できなくなる可能性がある。
【００１０】
この発明は、上記した事情を鑑みて創案されたものであって、その目的とするところは、外壁内に通気路を確保し得て、その通気路を利用する水分の外部への放出で結露の発生阻止を可能にし、その汎用性の向上を期待するのに最適となる通気壁構造および通気壁の施工方法を提供することである。
【課題を解決するための手段】
【００１１】
上記した目的を達成するために、この発明による通気壁構造の構成を、基本的には、建築物の屋内側と屋外側とを画成する躯体と、この躯体の屋外側面に展設される防水紙と、この防水紙を介して上記の躯体に連結されるラスと、このラスの屋外側面に塗り付けられるモルタルとを有してなる通気壁構造において、上記のラスが上記のモルタルの塗り付けを許容するラス目を有しながら上記の防水紙に隙間を有して対向する本体部と、この本体部に一体に形成されて先端を上記の防水紙に当接させながら上記の躯体に連結される凸部とを有してなり、上記のラスにおける本体部の屋外側面に塗り付けられる上記のモルタルと上記の防水紙との間に通気路が形成されてなるとする。
【００１２】
そして、この発明による通気壁の施工方法の構成を、基本的には、建築物の屋内側と屋外側とを画成する躯体の屋外側面に防水紙を展設し、この防水紙を介して上記の躯体にラスを連結し、このラスの屋外側面にモルタルを塗り付けてなる通気壁の施工方法において、上記のラスが上記のモルタルの塗り付けを許容するラス目を有しながら上記の防水紙に隙間を有して対向する本体部と、この本体部に一体に形成されて先端を上記の防水紙に当接させながら上記の躯体に連結される凸部とを有してなる一方で、上記のラスにおける本体部の屋外側面に上記のモルタルを塗り付けて、このモルタルと上記の防水紙との間に通気路を形成してなるとする。
【発明の効果】
【００１３】
それゆえ、この発明の通気壁構造にあっては、建築物における躯体に防水紙を介して連結されるラスが上記の防水紙に隙間を有して対向する本体部と、この本体部に一体に形成されて先端を上記の防水紙に当接させながら躯体に連結される凸部とを有してなるから、ラスにおける凸部の形状あるいは被覆部材の形状を考慮することで、ラスにおける屋外側面に塗り付けられるモルタルと防水紙との間に通気路を形成でき、この通気路で内部の水分を外部に放出して、結露の発生阻止を実現し得る。
【００１４】
また、この発明の通気壁の施工方法によれば、建築物における躯体に防水紙を介して連結されるラスが上記の防水紙に隙間を有して対向する本体部と、この本体部に一体に形成されて先端を上記の防水紙に当接させる凸部とを有してなる一方で、このラスにおける凸部の先端を上記の防水紙に当接させた状態でこの凸部を躯体に連結し、上記のラスの屋内側面にモルタルを塗り付けることで、このモルタルと上記の防水紙との間に通気路を出現させるから、ラスにおける凸部の形状あるいは被覆部材の形状を考慮することで、上記の通気路で内部の水分を外部に放出して、結露の発生阻止を可能にする通気壁を施工し得る。
【発明を実施するための最良の形態】
【００１５】
以下に、図示した実施形態に基づいて、この発明を説明するが、この発明による通気壁構造について説明しながら、この発明による通気壁の施工方法についての説明を併せてする。
【００１６】
なお、図１から図４は、木質系の建築物における外壁、すなわち、通気壁の横断面を示すもので、各図中において、右側が建築物の屋内側であり、左側が建築物の屋外側である。
【００１７】
ところで、図１に示すように、この発明による通気壁は、建築物の屋内側と屋外側とを画成する躯体１と、この躯体１の屋外側面に展設される防水紙２と、この防水紙２を介して躯体１に連結されるラス３と、このラス３の屋外側面に塗り付けられるモルタル４とを有してなる。
【００１８】
前記したように、この発明は、木質系の建築物における外壁に具現化されるもので、この点からして、躯体１は、基本的には、木質系とされて後述する防水紙２やラス３、さらには、この発明における被覆部材５の連結を可能にするが、この発明の意図するところからすると、躯体１が木質系からなることは必須でない。
【００１９】
すなわち、図１中に仮想線図で示すように、躯体１の屋外側面に木質系の板材１１が一体的に連結され、この板材１１が防水紙２やラス３および被覆部材５の連結を可能にする場合には、躯体１が木質系からならずしてコンクリート系や鉄系からなるとしても良い。
【００２０】
なお、ここに言う躯体１は、木質系の建築物において、柱や梁などのように構造部材とされることは余りなく、単に屋内と屋外の遮蔽を目的にしてあらかじめ設けられていれば足りるが、この発明における通気壁構造を具現化する上からは、これに限定されずして、いわゆる構造壁を構成するものであっても良い。
【００２１】
防水紙２は、防水シートなどと称されることもあるが、屋外からの雨水などの水分が躯体１に浸透することを阻止するもので、所定の防水機能を恒久的に保障し得る限りには、任意に構成されて良く、多くの場合に、たとえば、アスファルトなどの油成分を含む紙類で構成される。
【００２２】
そして、この防水紙２は、タッカーやステープルなどの留め金具類の躯体１への打ち付けで躯体１に展設、すなわち、連結されるが、後述するラス３や被覆部材５の定着時に併せて躯体１に連結されるとしても良い。
【００２３】
特に、この発明による通気壁の施工方法を具現化する場合には、防水紙２およびラス３が、あるいは、防止紙２および被覆部材５が、もしくは、被覆部材５およびラス３が、さらには、防水紙２，ラス３および被覆部材５が、それぞれあらかじめ一体に連結されて下地材とされ、この一体に連結された下地材を躯体１に連結するとしても良い。
【００２４】
すなわち、たとえば、防水紙２，ラス３および被覆部材５とでいわゆる下地材を形成し、この下地材が後述する通気路Ｓとなるべき隙間をあらかじめ有してなるとする場合には、この発明による通気壁の施工に要する手間を大幅に少なくし、効率良い施工の実践を可能にして、施工期間の短縮や施工コストの低廉化を可能にする点で有利になる。
【００２５】
ラス３は、ラス網と称されることもあり、一般に、金属製、すなわち、メタルラスからなり、特に、後述するところであるが、このラス３と上記した防水紙２との間に通気路Ｓが出現され、この通気路Ｓで水分を外部に放出して、いわゆる壁内での結露を阻止することからすれば、防錆処理されているのが好ましい。
【００２６】
そして、ラス３の種類としては、たとえば、ＪＩＳ  Ａ  ５５０５に規定の平ラス，こぶラス、波ラス，リブラスの何れが利用されるのが良く、また、ラス３の大きさとしては、たとえば、ほぼ６００ｍｍ×１８００ｍｍであり、施工時にはそのままの大きさで、あるいは、適宜の大きさに切断されて利用される。
【００２７】
さらに、ラス３におけるラス目の形状については、特段の限定はないが、多くの場合に、亀甲形や菱形などの後述するモルタル４の塗り付けを容易に実現可能にする形状とされて良い。
【００２８】
また、このラス３を躯体１に連結するについては、前記した防水紙２を躯体１に連結する場合と同様に、タッカーやステープルなどの留め金具類の躯体１における屋外側面への打ち付けで実現される。
【００２９】
モルタル４は、砂，セメント，水の混合物で、固化前にはいわゆるペースト状にされたものからなるのを原則とするが、特性を変更するために混和材などが混合されても良く、また、混和材としては、既存の任意のものが選択されて良い。
【００３０】
そして、このモルタル４は、上記したラス３の屋外側面に塗り付けられることで、ラス３と一体化され、その固化によってモルタル層となってラス３との一体性を保障すると共に、上記した通気路Ｓを確立し、かつ、屋外からの雨水などの浸水を阻止する。
【００３１】
なお、モルタル層への屋外からの雨水などの浸水を阻止するについて、図２中に仮想線図で示すように、モルタル層の屋外側面に別途に防水モルタルや防水塗装などの防水層４１が設けられるとしても良い。
【００３２】
そして、モルタル層への屋外からの雨水などの浸水の阻止には、このモルタル層におけるクラックの発生阻止が有効になるのは、経験側の示すところなので、同じく図２中に仮想線図で示すように、モルタル層内にクラック防止のための格子状などに形成の、たとえば、グラスファイバー製のメッシュ４２を配設する、すなわち、モルタル４をラス３に塗り付ける際にこのメッシュ４２を塗り込むのが良い。
【００３３】
なお、図２に示すように、モルタル４をラス３の屋外側面に塗り付ける場合には、詳しくは後述するが、ラス３における本体部３ａがラス目を有してモルタル４の通過を許容するから、モルタル４の一部が本体部３ａを通過して先端を防水紙２に接触させるほどに侵入する。
【００３４】
ところで、この発明の通気壁構造にあっては、ラス３は、上記のモルタル４の塗り付けを許容するラス目を有しながら上記の防水紙２に隙間を有して対向する本体部３ａと、この本体部３ａに一体に形成されて先端を上記の防水紙２に当接させながら上記の躯体１に連結される凸部３ｂとを有してなる。
【００３５】
すなわち、この発明による通気壁構造にあっては、基本的には、図１に示すように、ラス３がラス目を有してモルタルの通過を許容する本体部３ａと、ラス目を有せずしてモルタルの通過を阻止する凸部３ｂとを有してなるとし、このラス３を利用する通気壁の施工にあっては、この凸部３ｂの先端を防水紙２に当接させた状態で躯体１に連結し、ラス３にモルタル４を塗り付けるとする。
【００３６】
その結果、図２に示すように、ラス３に塗り付けられたモルタル４は、一部が凸部３ｂの図中で左側たる内側に侵入すると共に、一部が本体部３ａを通過して前記した空部Ａに侵入する。
【００３７】
このとき、モルタル４が言わば目一杯塗り付けられるのではなく加減して塗り付けられることで、上記の空部Ａにモルタル４が侵入しない部位、すなわち、通気路Ｓが出現する。
【００３８】
そして、この通気路Ｓは、爾後にモルタル４が固化することで確立され、したがって、この通気路Ｓを利用してのいわゆる壁内の水分の外部への放出が可能とされる。
【００３９】
ちなみに、ラス３にあって、ラス目を有しない凸部３ｂを有するように形成される場合には、このラス目を有しない凸部３ｂを備えるラス３に比較して、大きい機械的強度を具有させることが可能になり、その点からすると、ラス３にモルタル４を塗り付けるときに、ラス３が容易に変形などしなくなり、通気壁の施工を容易にする上で有利となる。
【００４０】
また、ラス３が凸部３ｂを有して剛性を高める場合には、このラス３，前記した防水紙２および被覆部材５と共に一体形成される下地材における厚みを小さくすると共に、爾後に塗り付けられるモルタル４の厚さを小さくでき、外壁全体の厚さを過大にせずして、断熱性や防火性を高めることが可能になる。
【００４１】
以上からすると、上記の通気路Ｓを形成するについては、任意の方策を採用でき、たとえば、図３に示すように、ラス３が平ラスからなるとき、この平ラスからなる言わば本体部３ａを部分的に変形させて凸部３ｂを形成する一方で、この凸部３ｂは、ラス目を有しているので、この凸部３ｂにおけるラス目を塞ぐように被覆部材５を付設する方策がある。
【００４２】
このとき、被覆部材５を凸部３ｂの内側に配設すると、ラス３に対するモルタルの連結面積を減らすから、図３に示すように、被覆部材５は、凸部３ｂの図中で右側となる外側に付設されるのが良い。
【００４３】
そして、この凸部３ｂの外側に被覆部材５を付設した状態で防水紙２を介してこのラス３を躯体１に連結するとしても良いが、この被覆部材５をラス３の凸部３ｂの外周に付設した状態であらかじめ両者を一体に連結してから、ラス３を躯体１に連結しても良い。
【００４４】
この図３に示すところにあっても、ラス３にモルタル４を塗り付けると、図４に示すように、ラス３に塗り付けられたモルタル４は、一部が凸部３ｂの図中で左側たる内側に侵入すると共に、一部が本体部３ａを通過して前記した隙間に侵入する。
【００４５】
このとき、前記したところと同様に、モルタル４が言わば目一杯塗り付けられるのではなく加減して塗り付けられることで、上記の隙間にモルタル４が侵入しない部位、すなわち、通気路Ｓが出現する。
【００４６】
つまり、上記の被覆部材５は、前記したラス目を有しない凸部３ａと同様に、上記の隙間に通気路Ｓを出現させる部材であって、この部材は、隙間の面積を縮小させるようにして通気路Ｓを形成させる。
【００４７】
そして、この被覆部材５でラス３における凸部３ｂを塞ぐようにする場合には、この凸部３ｂを補強すると同じになり、したがって、仮に、ラス３にモルタル４を塗り付ける際の力が大きくなっても、ラス３の変形を防止でき、しかも、通気路Ｓをいたずらに縮小せずして形成し得る点で有利になる。
【００４８】
なお、上記の通気路Ｓは、図示するところでは、縦方向に形成されているが、この発明が意図するところからすれば、図示しないが、横方向にも形成されて、この縦方向の通気路Ｓと途中で合流するとしても良いことはもちろんで、この通気路Ｓがいわゆる縦横に形成される場合には、外壁内の通気性を一層高め、内部結露の発生を一層効果的に抑制あるいは防止することが可能になる。
【００４９】
ところで、前記した特許文献１に開示の提案では、この発明に言う通気路Ｓを形成する部材が通気部材と称される連続気泡の発泡体、すなわち、ウレタンフォームからなる通気部材における内部空孔で形成されるとしている。
【００５０】
そして、この通気部材は、この種の通気壁を施工する際の実際を勘案すると、モルタルで包囲されるから、この通気部材が有する内部空孔の状態如何に依存することになる。
【００５１】
そして、前記したことであるが、通気部材において内部空孔を大きくして通気性を良くする場合には、通気部材における機械的強度が低下され易くなり、逆に、通気部材において内部空孔を小さくして通気部材における機械的強度を保障しようとすると、充分な通気性を保障できなくなる不具合がこの通気部材にある。
【００５２】
以上からすると、前記した文献開示の提案では、通気部材を利用するがゆえに不具合があるが、この発明にあっては、通気部材を利用するのではなく、ラス３におけるラス目を有しない凸部３ｂ、あるいは、ラス目を有する凸部３ｂに付設される被覆部材５を利用して通気路Ｓを形成し、しかも、この凸部３ｂおよび被覆部材５が容易に変形などしない機械的強度を有するから、通気性が設計通りに保障されることになる。
【００５３】
そして、この通気壁を施工する際にも、通気部材を利用するのではなく、容易に変形などしない機械的強度を有する凸部３ｂおよび被覆部材５を利用して通気路Ｓを形成するから、所定の通気性を設計通りに保障し得ることになる。
【００５４】
その結果、この発明にあっては、外壁内に通気路Ｓを確保し得て、その通気路Ｓを利用する水分の外部への放出で結露の発生阻止を可能にし得ることになり、通気壁の汎用性の向上を期待するのに最適となる。
【００５５】
前記したところでは、ラス３における凸部３ｂが本体部３ａに積極的に形成されるとして説明したが、この発明の具現化にあっては、ラス３があらかじめ有するリブなどの凸部を利用するとしても良く、その場合に、凸部がラス目を有してモルタル４の通過を許容する場合には、被覆部材５を併用すれば足りる。
【００５６】
そして、前記したところでは、上記のラス３における凸部３ｂは、散点状に形成されるとしたが、所定の通気路Ｓを形成する限りには、図示しないが、縦方向や横方向に延在されるリブ状に連続形成あるいは間欠形成されるとしても良く、また、散点状に形成するととき、規則的なあるいは不規則な散点状に形成されるとしても良い。
【図面の簡単な説明】
【００５７】
【図１】この発明の一実施形態による通気壁構造の構成を示す横断面図である。
【図２】図１に示す通気壁の完成状態を示す横断面図である。
【図３】この発明による他の実施形態による通気壁構造の構成を図１と同様に示す図である。
【図４】図３に示す通気壁の完成状態を図２と同様に示す図である。
【符号の説明】
【００５８】
１  躯体
２  防水紙
３  ラス
３ａ  本体部
３ｂ  凸部
４  モルタル
５  被覆部材
Ｓ  通気路
【図１】
2010048007.tif 000003
【図２】
2010048007.tif 000004
【図３】
2010048007.tif 000005
【図４】
2010048007.tif 000006